(57)【要約】【課題】多様な植物育成状況に対して導入が可能で、現行の灌水設備、方法を用いたままで水及び混入された農薬や肥料の使用量及びそれらの不必要な流失を削減するとともに、灌水作業に係る経費を軽減させることができる、環境保護型灌水器具を提供する。【解決手段】受水部１、結合部２、給水口３、支持部４を構成する平面に製造されたものを、結合部２を結合させて受水部１を皿状とし、支持部４を土中に突き刺して固定することで灌水時の水を受水部１で広く集めて給水口３へ導き、植物の株元への給水効率を高めることができる。円形の給水口３の直径はマルチ穴や栽培容器の直径とすることで、給水口３よりも植物が大きく成長し、植物自体の存在によって給水されるべき株元へ及ばなかった水を受水部１で集水するとともに、従来マルチ穴や栽培容器の外へ流失していた水及び混入された農薬や肥料を減らすことができる。【選択図】        図２
2004180568.tif 000002
【特許請求の範囲】
【請求項１】
焼却時に有害ガスを発生しないリサイクル素材を用いて製造され、使用後の再使用または再資源化及び焼却処分が可能な灌水器具。
【請求項２】
受水部、結合部、給水口、支持部から成る単体構造で、設置及び除去が簡単な灌水器具。
【請求項３】
灌水を必要とする植物の種類すなわち野菜、切り花、鉢花の別、環境すなわち屋外露地上、施設内の別、形態すなわち土壌栽培、容器栽培の別、育成者すなわち生産者、販売者、消費者を問わずに共通して使用できる灌水器具。
【請求項４】
植物の株元へ効率よく給水できる構造により、設備、方法を変更せずに従来のままの灌水作業で、水及び混入された農薬、肥料の使用量を低減することができ、かつそれらの不必要な流失を減らすことができる灌水器具。
【請求項５】
植物の培土面と展開した葉との間に設置することで、降雨または灌水時の泥はねを起因とする病害虫の防止が図られ、農薬使用量が低減できる灌水器具。
【発明の詳細な説明】
【０００１】
【発明が属する技術分野】
本発明は、簡素な構造のために低コストで製造され、灌水を必要とする植物の種類、環境、形態、育成者を問わずに使用でき、現行の設備、方法を用いたままの灌水で、植物への高い給水効果を発揮することで、水はもちろん混入された肥料や農薬の低減、及びそれらの不必要な流失を減らすとともに、灌水作業に係る電気、燃料の節減、労力の軽減、時間の短縮が図れる灌水器具に関するものである。
【０００２】
【従来の技術】
以下、従来の植物への灌水に関する技術を説明する。
【０００３】
野菜または切り花の露地栽培では、降雨に頼るか、人の手によるホースによる散水、または水タンクを搭載したトラクターによる散水が一般的で、効率的灌水法として、水道などから圃場に張り巡らせて敷設したパイプによって個別に植物の株元へ水を供給したり、パイプから立ち上げたスプリンクラーによって散水する設備はあった。
【０００４】
野菜または切り花のビニールハウスや温室などの施設内における土壌栽培では、その都度人がホースを引き回して散水するか、施設内上部からの大規模なスプリンクラー及び自走式散水設備を一般的とし、効率的灌水法として、水道などから施設内の土壌面に張り巡らせて敷設したパイプから個別に植物の株元へ水を供給する設備はあった。
【０００５】
野菜または鉢花の施設内におけるビニールポットや鉢などの容器栽培では、人によるホースを引き回しての散水や、大規模なスプリンクラー及び自走式散水設備が一般的で、効率的灌水法として、底面給水システムや栽培容器ごとにチューブを配して個別に水を供給するシステムはあった。
【０００６】
容器栽培の野菜苗や鉢花の販売を行う店舗やこれらを購入した一般家庭では、人の手によるホースや小型のじょうろによる灌水が一般的で、とくに屋内では水を容器外へこぼさないように効率的に灌水するには、細心の注意を払う以外に方法は無い。
【０００７】
以上のように、灌水しようとする植物の種類すなわち野菜、切り花、鉢花の別、環境すなわち露地上、施設内の別、形態すなわち土壌栽培、容器栽培の別、育成者すなわち生産者、販売者、消費者の別を問わずに、共通して高効率で灌水できる器具は無かった。
【０００８】
【発明が解決しようとする課題】
従来の技術で、植物の種類、環境、形態、育成者それぞれにおいて一般的とされる灌水設備、方法では、水及び混入された肥料や農薬の不必要な損失が大きく、また効率的とされる設備、方法は、規模が大きいために導入及び運転に多大な経費がかかり、また一旦導入してしまうとその後の変更や撤去が困難である。このため、いかに現行の設備、方法を継続したまま灌水作業に係る経費を削減するかが課題とされる。また、資源としての水の問題や、流出農薬の環境汚染、電気や燃料の消費による地球温暖化問題等、近年、農業やその関連産業において諸経費の削減と同時に環境保護に対する要請も大きくなっている。
【０００９】
【課題を解決するための手段】
課題を解決するための手段を図を用いて説明すれば、図１のように製造されたものを、使用者によって図２のように中央に植物の株元へ水を供給するための給水口３を設けた平面の受水部１を結合部２で結合させ皿状に組み立て、支持部４を用土に突き刺して土面と植物との間に設置する。
【００１０】
【作用】
本発明の作用を図を用いて説明すれば、従来灌水時に植物そのものの存在によって当該植物の株元へ及ばなかった水を、図３のように受水部１によって給水口３へ導くことで効果的に灌水することができ、多様な植物育成の場への導入が可能で、従来の灌水設備、方法を変更せずに、あるいは効果的な灌水を意識しなくても、水はもちろん混入された肥料や農薬の使用量の低減及びそれらの流失を減らすことができる。
【００１１】
【発明の実施の形態】
焼却時に有害ガスを発生しないリサイクル原料を素材として図１の形状に製造され、使用者によって図２のように組み立てられ、植物の種類や環境、形態、及び育成者を問わずに、灌水しようとする植物の株元の土面に設置される。そして従来の灌水作業を実施することで節水効果が発揮され、その後植物が成長し、植え替え、収穫、販売、枯死等で灌水の必要が無くなった時、または本器具が必要でなくなった時に、随時結合部２の結合を解き、支持部４を土中から抜き出すことで撤去することができる。また本器具は、再使用、再資源化及び焼却処分が可能である。
【００１２】
【実施例】
図１は、本発明の製造時における平面図であり、１は受水部、２は受水部１を結合させ皿状とするための結合部、３は皿状となった受水部１で集めた水を植物へ供給するための給水口、４は土中へ突き刺して本器具を固定するための支持部である。
【００１３】
図２は、使用者によって組み立てられた斜視図であり、支持部４は土中へ突き刺しやすいように適当な角度で折り曲げられる。
【００１４】
図３は、栽培容器に設置した断面図であり、本来植物の葉によって容器外へ失われる水を受水部１によって給水口３へ導き、植物の株元へ供給できることをあらわしている。
【００１５】
【発明の効果】
以下、本発明による効果を説明する。
【００１６】
同形状の物を大きさを変えて数種類製造するだけで、多様な植物育成現場に、現行の設備を変更、撤去することなく導入することができる。このため、製造及び使用者の導入に際する負担が小さい。
【００１７】
導入、設置後は現行と変わらない灌水作業を実施することで、効率的な灌水効果が発揮され、水、肥料、農薬の使用量削減とそれらの不必要な流失を減らすことができる。
【００１８】
一定水量のもとでの灌水面積の拡大をはかることができ、灌水面積が一定であれば、ポンプ等の稼働時間の短縮、給水回数の低減によるトラクターの回送削減などの灌水作業に係る諸経費の軽減がはかれる。
【００１９】
土面と植物の展開した葉の間に設置されるため、降雨や灌水時の泥はねによる植物の汚損を起因とする病害虫を防止する効果があり、それに係る農薬の使用量を削減することができる。
【００２０】
水の確保が難しい地域、水の使用量に制限のある地域、降水量の少ない地域、干ばつの恐れのある地域への導入で、植物の育成成功率を高める効果が期待できる。
【図面の簡単な説明】
【図１】製造時の平面図である。
【図２】組み立て後の斜視図である。
【図３】使用時の断面図である。
【符号の説明】
１    受水部
２    結合部
３    給水口
４    支持部
【図１】
2004180568.tif 000003
【図２】
2004180568.tif 000004
【図３】
2004180568.tif 000005